【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を備える、方法。
【請求項２】
前記ＰＢＣＨ信号に基づいて構成メッセージを識別することと
前記受信された構成メッセージに基づいて、ランダムアクセス信号を前記第１のセルに送信することと、
前記第１のセルへの第１の接続を確立することと、
第２のセルの共通同期チャネル上で前記第２のセルから第２の同期信号を受信することと、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立することと、
前記構成メッセージによって指定されたチャネル構造に基づいて、前記第１のセルまたは前記第２のセルとデータを交換することと
をさらに備える、請求項１に記載の方法。
【請求項３】
前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、請求項２に記載の方法。
【請求項４】
前記第１の同期信号のキャリア周波数を推定することと、
前記第１の同期信号の前記推定されたキャリア周波数と前記ＵＥの局部発振器によって生成されたローカルキャリア周波数とを比較することと、
前記比較に応じてアップリンクキャリア周波数を生成することと、
前記生成されたアップリンクキャリア周波数をもつアップリンク信号を送信することとをさらに備える、請求項１に記載の方法。
【請求項５】
前記ＰＢＣＨ信号が、ペイロードデータトラフィックを送信するための共有データトラフィックチャネルの時間および周波数リソース構成を指定する構成メッセージを備え、
前記方法が、前記ＵＥのＩＤと、前記共有データトラフィックチャネル上でのデータチャネル送信のための時間周波数リソースのインデックスとを指定する制御チャネル送信を受信することをさらに備える、
請求項１に記載の方法。
【請求項６】
前記共有データトラフィックチャネルの前記時間周波数リソース上で前記データチャネル送信を受信すること、または、
前記共有データトラフィックチャネルの前記時間周波数リソース上で前記データチャネル送信を送信すること
をさらに備える、請求項５に記載の方法。
【請求項７】
前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を受信することとをさらに備える、請求項５に記載の方法。
【請求項８】
前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を送信することとをさらに備える、請求項５に記載の方法。
【請求項９】
フレキシブルチャネル構造のフレキシブル時間および周波数タイリングパターンに従って構成されたセグメントをもつチャネルのセットを使用してデータを交換することをさらに備える、請求項１に記載の方法。
【請求項１０】
マシンタイプ通信プロシージャに基づいてネットワークとデータを交換すること
をさらに備える、請求項１に記載の方法。
【請求項１１】
ユーザ機器（ＵＥ）におけるワイヤレス通信のための装置であって、
第１のセルの共通同期チャネル上で前記第１のセルから第１の同期信号を受信するための手段と、ここにおいて、前記第１の同期信号が、前記第１の同期信号を受信することより前に前記ＵＥに知られている波形である、
前記第１の同期信号のシンボル時間を推定するための手段と、
前記第１の同期信号の前記推定されたシンボル時間に基づいて、前記第１のセルの物理ブロードキャストチャネル（ＰＢＣＨ）シンボル時間を決定するための手段と、
前記ＰＢＣＨシンボル時間に少なくとも部分的に基づいてＰＢＣＨ信号を受信するための手段と、
前記受信されたＰＢＣＨ信号に基づいて前記第１のセルの物理レイヤ識別情報（ＩＤ）を決定するための手段と
を備える、装置。
【請求項１２】
前記ＰＢＣＨ信号に基づいて構成メッセージを識別するための手段と、
前記受信された構成メッセージに基づいて、ランダムアクセス信号を前記第１のセルに送信するための手段と、
前記第１のセルへの第１の接続を確立するための手段と、
第２のセルの共通同期チャネル上で前記第２のセルから第２の同期信号を受信するための手段と、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立するための手段と、
前記構成メッセージによって指定されたチャネル構造に基づいて、前記第１のセルまたは前記第２のセルとデータを交換するための手段と
をさらに備える、請求項８に記載の装置。
【請求項１３】
前記第１の同期信号のキャリア周波数を推定するための手段と、
前記第１の同期信号の前記推定されたキャリア周波数と前記ＵＥの局部発振器によって生成されたローカルキャリア周波数とを比較するための手段と、
前記比較に応じてアップリンクキャリア周波数を生成するための手段と、
前記生成されたアップリンクキャリア周波数をもつアップリンク信号を送信するための手段と
をさらに備える、請求項８に記載の装置。
【請求項１４】
前記ＰＢＣＨ信号が、ペイロードデータトラフィックを送信するための共有データトラフィックチャネルの時間および周波数リソース構成を指定する構成メッセージを備え、
前記装置が、前記ＵＥのＩＤと、前記共有データトラフィックチャネル上でのデータチャネル送信のための時間周波数リソースのインデックスとを指定する制御チャネル送信を受信するための手段をさらに備える、
請求項８に記載の装置。
【請求項１５】
ユーザ機器（ＵＥ）におけるワイヤレス通信のためのコードを記憶する非一時的コンピュータ可読媒体であって、前記コードは、
請求項１乃至７のいずれかにしたがった方法を行うために実行可能な命令を備える、非一時的コンピュータ可読媒体。
【手続補正２】
【補正対象書類名】明細書
【補正対象項目名】０１５９
【補正方法】変更
【補正の内容】
【０１５９】
[0176]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願発明の当初の特許請求の範囲に記載された発明を付記する。
［Ｃ１］  ユーザ機器（ＵＥ）におけるワイヤレス通信の方法であって、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を備える、方法。
［Ｃ２］  前記ＰＢＣＨ信号に基づいて構成メッセージを識別することと、
前記受信された構成メッセージに基づいて、ランダムアクセス信号を前記第１のセルに送信することと、
前記第１のセルへの第１の接続を確立することと、
第２のセルの共通同期チャネル上で前記第２のセルから第２の同期信号を受信することと、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立することと、
前記構成メッセージによって指定されたチャネル構造に基づいて、前記第１のセルまたは前記第２のセルとデータを交換することと
をさらに備える、Ｃ１に記載の方法。
［Ｃ３］  前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、Ｃ２に記載の方法。
［Ｃ４］  前記第１の同期信号のキャリア周波数を推定することと、
前記第１の同期信号の前記推定されたキャリア周波数と前記ＵＥの局部発振器によって生成されたローカルキャリア周波数とを比較することと、
前記比較に応じてアップリンクキャリア周波数を生成することと、
前記生成されたアップリンクキャリア周波数をもつアップリンク信号を送信することとをさらに備える、Ｃ１に記載の方法。
［Ｃ５］  前記ＰＢＣＨ信号が、ペイロードデータトラフィックを送信するための共有データトラフィックチャネルの時間および周波数リソース構成を指定する構成メッセージを備え、
前記方法が、前記ＵＥのＩＤと、前記共有データトラフィックチャネル上でのデータチャネル送信のための時間周波数リソースのインデックスとを指定する制御チャネル送信を受信することをさらに備える、
Ｃ１に記載の方法。
［Ｃ６］  前記共有データトラフィックチャネルの前記時間周波数リソース上で前記データチャネル送信を受信すること
をさらに備える、Ｃ５に記載の方法。
［Ｃ７］  前記共有データトラフィックチャネルの前記時間周波数リソース上で前記データチャネル送信を送信すること
をさらに備える、Ｃ５に記載の方法。
［Ｃ８］  前記制御チャネル送信の送信電力が前記データチャネル送信の送信電力に比例する、Ｃ５に記載の方法。
［Ｃ９］  前記制御チャネル送信の前記送信電力が前記ＵＥの経路損失に基づく、Ｃ８に記載の方法。
［Ｃ１０］  前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を受信することとをさらに備える、Ｃ５に記載の方法。
［Ｃ１１］  前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を送信することとをさらに備える、Ｃ５に記載の方法。
［Ｃ１２］  フレキシブルチャネル構造のフレキシブル時間および周波数タイリングパターンに従って構成されたセグメントをもつチャネルのセットを使用してデータを交換することをさらに備える、Ｃ１に記載の方法。
［Ｃ１３］  前記フレキシブルチャネル構造が、所定のテーブルに基づく共有チャネルタイリングパターンの構成を備え、前記構成が、前記ＰＢＣＨ信号中で送信された前記構成メッセージによって指定される、Ｃ１２に記載の方法。
［Ｃ１４］  前記時間周波数リソースのインデックスが前記所定のテーブルのインデックスを示す、Ｃ１３に記載の方法。
［Ｃ１５］  前記ＰＢＣＨ信号の長さが、前記ＰＢＣＨ信号を受信することより前に固定され、前記ＵＥに知られている、Ｃ１に記載の方法。
［Ｃ１６］  マシンタイプ通信（ＭＴＣ）プロシージャに基づいてネットワークとデータを交換すること
をさらに備える、Ｃ１に記載の方法。
［Ｃ１７］  ユーザ機器（ＵＥ）におけるワイヤレス通信のための装置であって、
第１のセルの共通同期チャネル上で前記第１のセルから第１の同期信号を受信するための手段と、ここにおいて、前記第１の同期信号が、前記第１の同期信号を受信することより前に前記ＵＥに知られている波形である、
前記第１の同期信号のシンボル時間を推定するための手段と、
前記第１の同期信号の前記推定されたシンボル時間に基づいて、前記第１のセルの物理ブロードキャストチャネル（ＰＢＣＨ）シンボル時間を決定するための手段と、
前記ＰＢＣＨシンボル時間に少なくとも部分的に基づいてＰＢＣＨ信号を受信するための手段と、
前記受信されたＰＢＣＨ信号に基づいて前記第１のセルの物理レイヤ識別情報（ＩＤ）を決定するための手段と
を備える、装置。
［Ｃ１８］  前記ＰＢＣＨ信号に基づいて構成メッセージを識別するための手段と、
前記受信された構成メッセージに基づいて、ランダムアクセス信号を前記第１のセルに送信するための手段と、
前記第１のセルへの第１の接続を確立するための手段と、
第２のセルの共通同期チャネル上で前記第２のセルから第２の同期信号を受信するための手段と、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立するための手段と、
前記構成メッセージによって指定されたチャネル構造に基づいて、前記第１のセルまたは前記第２のセルとデータを交換するための手段と
をさらに備える、Ｃ１７に記載の装置。
［Ｃ１９］  前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、Ｃ１８に記載の装置。
［Ｃ２０］  前記第１の同期信号のキャリア周波数を推定するための手段と、
前記第１の同期信号の前記推定されたキャリア周波数と前記ＵＥの局部発振器によって生成されたローカルキャリア周波数とを比較するための手段と、
前記比較に応じてアップリンクキャリア周波数を生成するための手段と、
前記生成されたアップリンクキャリア周波数をもつアップリンク信号を送信するための手段と
をさらに備える、Ｃ１７に記載の装置。
［Ｃ２１］  前記ＰＢＣＨ信号が、ペイロードデータトラフィックを送信するための共有データトラフィックチャネルの時間および周波数リソース構成を指定する構成メッセージを備え、
前記装置が、前記ＵＥのＩＤと、前記共有データトラフィックチャネル上でのデータチャネル送信のための時間周波数リソースのインデックスとを指定する制御チャネル送信を受信するための手段をさらに備える、
Ｃ１７に記載の装置。
［Ｃ２２］  前記共有データトラフィックチャネルの前記時間周波数リソース上で前記データチャネル送信を受信するための手段
をさらに備える、Ｃ２１に記載の装置。
［Ｃ２３］  前記共有データトラフィックチャネルの前記時間周波数リソース上で前記データチャネル送信を送信するための手段
をさらに備える、Ｃ２１に記載の装置。
［Ｃ２４］  前記制御チャネル送信の送信電力が前記データチャネル送信の送信電力に比例する、Ｃ２１に記載の装置。
［Ｃ２５］  前記制御チャネル送信の前記送信電力が前記ＵＥの経路損失に基づく、Ｃ２４に記載の装置。
［Ｃ２６］  前記制御チャネル送信が、前記制御チャネル送信のタイミングと前記データチャネル送信のタイミングとの間の遅延を備え、
前記装置が、
前記データチャネル送信の前記タイミングに基づいてスリープ起動タイマーを開始するための手段と、
前記スリープ起動タイマーを開始することに少なくとも部分的に基づいて電力節約モードに入るための手段と、
前記スリープ起動タイマーの満了時に前記データチャネル送信を受信するための手段と
をさらに備える、Ｃ２１に記載の装置。
［Ｃ２７］  前記制御チャネル送信が、前記制御チャネル送信のタイミングと前記データチャネル送信のタイミングとの間の遅延を備え、
前記装置が、
前記データチャネル送信の前記タイミングに基づいてスリープ起動タイマーを開始するための手段と、
前記スリープ起動タイマーを開始することに少なくとも部分的に基づいて電力節約モードに入るための手段と、
前記スリープ起動タイマーの満了時に前記データチャネル送信を送信するための手段と
をさらに備える、Ｃ２１に記載の装置。
［Ｃ２８］  フレキシブルチャネル構造のフレキシブル時間および周波数タイリングパターンに従って構成されたセグメントをもつチャネルのセットを使用してデータを交換するための手段をさらに備える、Ｃ１７に記載の装置。
［Ｃ２９］  ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令は、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を行うために前記プロセッサによって実行可能である、装置。
［Ｃ３０］  ユーザ機器（ＵＥ）におけるワイヤレス通信のためのコードを記憶する非一時的コンピュータ可読媒体であって、前記コードは、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を行うために実行可能な命令を備える、非一時的コンピュータ可読媒体。